(57)【要約】【課題】突出パイプを突設しているキャップと、ペン軸の後端側との安定した嵌合を及び格別の力を必要としない嵌入及び嵌出をシンプルな設計の下に実現し得る構成を提供すること。【解決手段】筆記用ペン、及び化粧用ペンのキャップ１において、ペン軸２と嵌合する側に当該キャップ１本体の外表面よりも小さい径による外表面を有する突出パイプ１１を突設し、ペン軸２内に固着されているか、又はスライド自在にて当接され、かつペン先２２を支持する筒状部２３の後端側にペン軸２の長手方向と交叉する方向の凹溝２４を設け、ペン軸２の後端側に嵌入したキャップ１の突出パイプ１１を押圧するＯリング３を凹溝２４に嵌合することによって、前記課題を達成することができるペン。【選択図】図４
2020055230.tif 000002
【特許請求の範囲】
【請求項１】
筆記用ペン、及び化粧用ペンのキャップにおいて、ペン軸と嵌合する側に当該キャップ本体の外表面よりも小さい径による外表面を有する突出パイプを突設し、ペン軸内に固着されているか、又はスライド自在にて当接され、かつペン先を支持する筒状部の後端側にペン軸の長手方向と交叉する方向の凹溝を設け、ペン軸の後端側に嵌入したキャップの前記突出パイプを押圧するＯリングを前記凹溝に嵌合しているペン。
【請求項２】
ペン軸の外表面と、キャップ本体の外表面とが同一径を形成することによる請求項１記載のペン。
【請求項３】
キャップの内壁のうち、ペン軸の先端側と当接する領域に、伸縮可能である樹脂を塗布していることを特徴とする請求項１、２の何れか一項に記載のペン。
【請求項４】
ペン先を支持する筒状部の先端側にペン軸の長手方向と交叉する方向の凹溝を設け、ペン軸の先端側に嵌入したキャップの前記突出パイプを押圧するＯリングを前記凹溝に嵌合していることを特徴としている請求項１、２、３の何れか一項に記載のペン。
【請求項５】
ペンがシャープペンシルであって、かつＯリングが嵌合する凹溝を、ペン軸内にてスライド自在にて当接されている芯咬止チャックに設けていることを特徴とする請求項１、２、３、４の何れか一項に記載のペン。
【発明の詳細な説明】
【技術分野】
【０００１】
本発明は、筆記具用及び化粧用のペンにおいて、ペン軸の先端側及び後端側と嵌合自在であるキャップを備えているペンの構成を対象としている。
【背景技術】
【０００２】
従来、キャップは、ペン先を保護すると共に、ペンを使用する場合には、大抵の場合、ペン軸の後端側をカバーし、必要に応じて筆記などの使用に適切な長さの実現に寄与している。
【０００３】
上記保護及びカバー並びに寄与を実現するために、キャップのペン軸と嵌合する側に、キャップ本体の外表面よりも小さい径による外表面を有する突出パイプを設け、当該突出パイプをペン軸の先端側及び後端側に対し嵌合自在とする形態が採用されている。
【０００４】
出願人は、上記構成に立脚した上で、図５（ａ）、（ｂ）に示すように、ペン軸２の嵌合するペン軸２の先端側及び後端側において、ペン軸２の内壁と離れた状態にある１個の胴部から曲げ弾性を備えている複数枚の内側片を突設している部材２５を採用し、当該内側片によって、ペン軸２の先端側及び後端側に嵌入する突出パイプ１１を内側から押圧する実施形態による構成を提唱し、当該構成については、既に特許第４０５０５４９号による権利が成立している。
【０００５】
上記構成においては、内側片の弾性変形によって、キャップ１とペン軸２との堅固な嵌合を実現することができる。
【０００６】
然るに、ペン軸２内に収納する前記部材２５を備えるような比較的煩雑な設計を必要とし、しかも個別のキャップ１及びペン軸２の設計に対応して、前記部材２５の設計を余儀なくされることを考慮するならば、前記部材２５の製造工程は決してシンプルではない。
【０００７】
しかも、部材２５の疲労によって弾性変形の程度が減少した場合には、堅固な嵌合状態が喪失するという欠点を避けることができない。
【０００８】
後述するように、近年キャップ本体の内壁のうち、ペン先と当接する領域に、伸縮可能である樹脂を塗布することによって、キャップの先端側との篏合については、適切な嵌合を実現可能としているが、後端側においては、前記部材２５の採用は必ずしも必要ではない。
【０００９】
しかしながら、キャップ１とペン軸２の後端側との嵌合は、専ら突出パイプ１１の嵌入及び嵌出によって実現している以上、キャップ１とペン軸２の後端側の嵌合については、前記実施形態による構成につき更なる改良が要請されている。
【先行技術文献】
【特許文献】
【００１０】
【特許文献１】特許第４０５０５４９号
【発明の概要】
【発明が解決しようとする課題】
【００１１】
本発明は、突出パイプを突設しているキャップと、ペン軸の後端側との安定した嵌合をシンプルな設計の下に実現し得る構成を提供することを課題としている。
【課題を解決するための手段】
【００１２】
前記課題を解決するため、本発明の基本構成は、筆記用ペン、及び化粧用ペンのキャップにおいて、ペン軸と嵌合する側に当該キャップ本体の外表面よりも小さい径による外表面を有する突出パイプを突設し、ペン軸内に固着されているか、又はスライド自在にて当接され、かつペン先を支持する筒状部の後端側にペン軸の長手方向と交叉する方向の凹溝を設け、ペン軸の後端側に嵌入したキャップの前記突出パイプを押圧するＯリングを前記凹溝に嵌合しているペンからなる。
【発明の効果】
【００１３】
前記基本構成に立脚している本発明においては、ペン軸内のペン先を支持する筒状部の後端側における凹溝及び当該凹溝と嵌合するＯリングというシンプルな設計によって、キャップの突出パイプとペン軸の後端側との嵌合状態を実現することができる。
【００１４】
しかも、Ｏリングの材質、断面形状及び周方向の径を適宜選択することによって、ペン先を支持する筒状部と突出パイプとの安定した嵌合状態及び格別の力を不要とする円滑な嵌入及び嵌出を実現することができる。
【図面の簡単な説明】
【００１５】
【図１】本発明によるキャップの斜視図である。
【図２】本発明の前提となる構成を示す斜視図であり、（ａ）はペン軸の先端側において嵌合可能な状態を示し、（ｂ）はペン軸の後端側において嵌合可能な状態を示す。
【図３】ペン軸の外表面とキャップ本体の外表面と同一径である実施形態において、キャップとペン軸とを嵌合した状況を示す側面図であり、（ａ）は、不使用時において、ペン先をカバーした状態にてペン軸の先端側と嵌合した状況を示しており、（ｂ）は使用時においてペン軸の後端側と嵌合した状態を示す。
【図４】ペン先を支持する筒状部の後端側の状態を示しており、（ａ）は、前記後端側とキャップの突出パイプとの嵌合状態を示す側断面図であり、（ｂ）は、筒状部の後端側及びＯリングの個別の形状を示す斜視図である。
【図５】ペン軸の先端側、及び後端側において、１個の胴部から曲げ弾性を備えている複数枚の内側片に突設している部材を採用し、かつ当該内側片によって、突出パイプ１１を内側から押圧したことによる嵌合状態を実現する実施態様を示しており、（ａ）は、当該実施態様の基本原理を示す側断面図であり、（ｂ）は、前記部材の適用状態を示す斜視図である。
【発明を実施するための形態】
【００１６】
本発明に係るペンは、ボールペン、シャープペンシル、万年筆、サインペンなどの筆記用のペン、及び化粧用のペンなどを包摂しているが、図１に示すように、本発明のキャップ１は、キャップ１のペン軸２と嵌合する側に、キャップ１本体の外表面よりも小さい径の外表面を有している突出パイプ１１を設けていることを技術的前提としている。
【００１７】
当該突出パイプ１１は、図２（ａ）に示すように、ペンとして使用していない段階では、ペン先２２をカバーするために、当該突出パイプ１１をペン軸２の先端側に嵌合させ、ペンとして使用する段階では、図２（ｂ）に示すように、ペン軸２の後端側に嵌合させている（図２（ａ）、（ｂ）では、嵌合する前段階によるキャップ１を実線で描いており、嵌入のために移動している段階にあるキャップ１を点線によって描いている。）。
【００１８】
上記技術的前提及び上記嵌合状態を考慮するならば、突出パイプ１１の径は、ペン軸２の外表面の径２１よりも小さいことを必要不可欠としている。
【００１９】
上記嵌合において、図３（ａ）、（ｂ）に示すように、キャップ１本体の径をペン軸２の外表面２１の径と、同一に設定する実施形態を採用した場合には、キャップ１をペン軸２の先端側に嵌合させた場合、及び後端側に嵌合させた場合の何れにおいても、ペン軸２とキャップ１とが連続した形状を呈しており、極めてスマートな印象を与え、かつコンパクトな形状を実現することができる。
【００２０】
キャップ１の突出パイプ１１と、ペン軸２の後端側との嵌合は、図４（ａ）、（ｂ）に示すように、ペン先２２を支持し、かつペン軸２によって固着されるか、又はスライド自在に当接されている筒状部２３の後端側に、ペン軸２の長手方向と交叉する方向の凹溝２４を設け、ペン軸２の後端側に嵌入した突出パイプ１１を自らの弾性変形によって押圧するＯリング３を凹溝２４に嵌合することによって実現することができる。
【００２１】
筒状部２３は、通常周囲に鍔状部２３１を突設し、ペンとして万年筆又はボールペンの場合には、鍔状部２３１はペン軸２の内壁によって固着される一方、ペンが後述するようなボールペンの場合には、鍔状部２３１はペン軸２の内壁によってスライド自在にて当接されている。
【００２２】
凹溝２４及びＯリング３の材質、断面形状及び周方向の径は、突出パイプ１１及び筒状部２３の径を斟酌することによって、適宜選択することができる。
【００２３】
但し、Ｏリング３の弾性変形による突出パイプ１１に対する押圧力によって、突出パイプ１１の嵌入及び嵌出を指先による操作によって格別の力を要せずにスムースに実現可能とし、しかも安定した嵌合状態を維持することが実現されるように上記選択が行われねばならない。
【００２４】
このような選択は、試行錯誤を伴う試験及び経験則の蓄積によって遂行することができる。
【００２５】
図４（ａ）、（ｂ）においては、１個の凹溝２４及びＯリング３の状態を示すが、突出パイプ１１と筒状部２３との隙間が狭い場合には、小さな径の凹溝２４及びＯリング３を採用したうえで、２個以上の凹溝２４及びＯリング３を設定する構成も採用可能である。
【００２６】
凹溝２４及びＯリング３のペン軸２の長手方向に対する交叉状態としては、通常図４（ａ）に示すように、直交状態が採用されており、しかも、凹溝２４の断面として１８０度の円弧状体である半円形状が採用されている。
【００２７】
但し、凹溝２４及びＯリング３の前記長手方向に対する交叉方向を斜交状態とする設計も可能であり、当該選択の場合には、Ｏリング３が突出パイプ１１を押圧する領域を広範囲とすることができる。
【００２８】
しかも、Ｏリング３の一周する径を凹溝２４の一周する径よりも稍小さく設定することによって、Ｏリング３が凹溝２４を圧接した状態による設計も可能であり、その場合には、凹溝２４を１８０度よりも小さな円弧（例えば１２０度の円弧）による設計も採用可能である。
【００２９】
いずれの設計の場合であっても、突出パイプ１１と筒状部２３との間に、凹溝２４及びＯリング３を介在させることによって、本発明においては、キャップ１のペン軸２の後端側に対し、格別の力を不要とするスムースな嵌入及び嵌出、及び安定した嵌合状態を実現することができる。
【００３０】
ペン軸２の先端側は、キャップ１の突出パイプ１１の領域だけでなく、キャップ１本体の内壁とも嵌合することが多い。
【００３１】
このような場合、既に背景技術の項において説明したように、キャップ１の内壁のうち、ペン軸２の先端側と当接する領域に伸縮可能である樹脂を塗布した実施形態の場合には、ペン軸２の先端側との篏合を安定した状態とすることができる。
【００３２】
したがって、上記実施形態の場合には、後端側の場合のような凹溝２４及びＯリング３の介在による嵌合を必ずしも必要とする訳ではない。
【００３３】
但し、本発明においては、ペン先２２を保持している筒状部２３の先端側においても、ペン軸２の長手方向と交叉する凹溝２４を採用し、当該凹溝２４と嵌入する突出パイプ１１を内側から押圧するＯリング３と嵌合する実施形態も当然採用可能である。
【実施例】
【００３４】
実施例においては、本発明のペンを筆記用のシャープペンシルとして使用した場合に、キャップ１がノックも兼用しており、ペン先２２を支持している筒状部２３の後端側において芯咬止チャック２３を採用していることを特徴としている。
【００３５】
芯咬止チャック２３は、ペン軸２の後端側の内壁によってスライド自在にて当接されているが、筆記のために、突出パイプ１１がペン軸２の後端側に嵌入した場合には、Ｏリング３は芯咬止チャック２３と共にペン先２２の側に向かって前進する。
【００３６】
筆記が終了した段階では、芯咬止チャック２３は、ペン軸２内部のスプリング（図示せず）によって後退するが、芯咬止チャック２３の後端側と当接しているキャップ１は、当該スプリングによって芯咬止チャック２３とともに後退する。
【００３７】
尚、実施例の場合には、突出パイプ１１の前後方向幅として、単にペン軸２の先端に嵌合する幅だけでなく、ノックとして前後に移動するに必要な余裕幅をも考慮し、通常の場合よりもやや長く設計すると良い。
【産業上の利用可能性】
【００３８】
このように、ペン先を支持する筒状部の後端側と嵌入するキャップの突出パイプとの間に凹溝及びＯリングが介在している本発明においては、シンプルな設計によって、ペン軸とキャップとの安定した嵌合状態及びスムースな嵌入及び嵌出を実現することができ、その利用範囲は広範である。
【符号の説明】
【００３９】
１  キャップ
１１  突出パイプ
２  ペン軸
２１  ペン軸の外表面
２２  ペン先
２３  ペン先を支持する筒状部及び芯咬止チャック
２３１  鍔状部
２４  凹溝
２５  胴部から曲げ弾性を有している複数枚の内側片を突設している部材
３  Ｏリング
【図１】
2020055230.tif 000003
【図２】
2020055230.tif 000004
【図３】
2020055230.tif 000005
【図４】
2020055230.tif 000006
【図５】
2020055230.tif 000007